(57)【要約】      （修正有）【課題】視聴地域に制限があるコンテンツを適切に記録、再生する。【解決手段】配信サーバ１３（サーバ）が提供するコンテンツの視聴が自装置の位置において可能である場合に、固定型記録再生装置１２Ｂ（第２の情報処理装置）のコンテンツ記録処理を許可するが、コンテンツの視聴及び記録されたコンテンツの再生処理を禁止する制御情報を生成して固定型記録再生装置１２Ｂへ送信する可搬型記録再生装置１２Ａ（第１の情報処理装置）と、送信された制御情報に基づいて配信サーバ１３からコンテンツを受信し、自己の記憶部に記録する処理を許可すると共に、記録されたコンテンツの再生処理は禁止する固定型記録再生装置１２Ｂとを有する情報提供システム１。【選択図】図１
2012034021.tif 000002
【特許請求の範囲】
【請求項１】
視聴に地域制限があるコンテンツを配信するサーバと、
上記コンテンツを受信する第１の情報処理装置及び第２の情報処理装置と、
を備え、
上記第１の情報処理装置は、
視聴される上記コンテンツを選択する選択部と、
上記選択部により選択された選択コンテンツが自装置の位置において視聴可能であるか否かを判定する判定部と、
上記判定部により上記選択コンテンツの視聴が自装置の位置において可能であると判定された場合に、上記第２の情報処理装置が上記選択コンテンツを上記サーバから受信して記録する処理を許可すると共に上記選択コンテンツの視聴及び上記記録された選択コンテンツの再生処理を禁止する制御情報を生成する第１の制御部と、
上記第１の制御部により生成された上記制御情報を上記第２の情報処理装置へ送信する第１の送信部と、を有し、
上記第２の情報処理装置は、
上記第１の送信部から送信された上記制御情報を受信する第１の受信部と、
上記第１の受信部で受信した上記制御情報に基づいて上記サーバから受信した上記選択コンテンツを自己の記憶部である第１の記憶部に記録する処理を許可すると共に、上記選択コンテンツを再生する処理を禁止する第２の制御部と、を有する、
ことを特徴とする情報提供システム。
【請求項２】
視聴に地域制限があるコンテンツを配信するサーバと、
上記コンテンツを受信する第１の情報処理装置及び第２の情報処理装置と、
を備え、
上記第１の情報処理装置は、
視聴される上記コンテンツを選択する選択部と、
上記選択部により選択された選択コンテンツが自装置の位置において視聴可能であるか否かを判定する判定部と、
上記判定部により上記選択コンテンツの視聴が自装置の位置において可能であると判定された場合に、上記第２の情報処理装置が上記選択コンテンツを上記サーバから受信して記録する処理を許可する制御情報を生成する第１の制御部と、
上記制御情報を上記第２の情報処理装置へ送信する第１の送信部と、を有し、
上記第２の情報処理装置は、
上記第１の送信部から送信された上記制御情報を受信する第１の受信部と、
上記第１の受信部で受信した上記制御情報に基づいて上記サーバから受信した上記選択コンテンツを自己の記憶部である第１の記憶部に記録する処理を許可すると共に、上記選択コンテンツの視聴及び上記記録した選択コンテンツを再生する処理を禁止する第２の制御部と、を有する、
ことを特徴とする情報提供システム。
【請求項３】
請求項１または請求項２に記載の情報提供システムであって、
前記第１の情報処理装置と前記第２の情報処理装置とが直接接続されると、前記第２の情報処理装置から前記第１の情報処理装置に対して、前記第２の情報処理装置を前記制御情報の送信先として指定する接続情報を送信することを特徴とする情報提供システム。
【請求項４】
請求項１または請求項２に記載の情報提供システムであって、
前記第１の情報処理装置及び第２の情報処理装置は、前記第１の情報処理装置と前記第２の情報処理装置との一方が他方を認証する、または相互に認証する認証部を有し、
前記第１の送信部は前記認証部で認証された場合には前記制御情報を前記第２の情報処理装置へ送信し、認証されなかった場合には前記制御情報を前記第２の情報処理装置へ送信しないことを特徴とする情報提供システム。
【請求項５】
請求項１または請求項２に記載の情報提供システムであって、
前記第２の情報処理装置は、
前記第１の記憶部に記憶された選択コンテンツを前記第１の情報処理装置へ送信する第２の送信部を有し、
前記第１の情報処理装置は、
上記第２の送信部によって前記第２の情報処理装置から送信された選択コンテンツを受信する第２の受信部と、
上記第２の受信部で受信した前記選択コンテンツを前記第１の情報処理装置で再生する再生部と、
を有することを特徴とする情報提供システム。
【請求項６】
請求項１から４のいずれか１項に記載の情報提供システムであって、
前記第２の制御部は、前記第１の情報処理装置と前記第２の情報処理装置とが直接接続された場合、または、第１の情報処理装置と第２の情報処理装置との距離が所定の閾値以下と判定された場合に、前記第１の記憶部に記憶された選択コンテンツの再生を許可することを特徴とする情報提供システム。
【請求項７】
請求項１または請求項２に記載の情報提供システムであって、
前記第１の情報処理装置は、前記選択コンテンツを暗号化するための第１の鍵と、上記第１の鍵で暗号化した暗号化コンテンツを復号するための第２の鍵とを記憶する第２の記憶部を有し、
前記第１の送信部は、上記第２の記憶部に記憶された上記第１の鍵を前記第２の情報処理装置へ送信し、
前記第１の受信部は、上記第１の鍵を前記第１の情報処理装置から受信し、
前記第２の制御部は、前記制御情報に基づいて前記サーバから受信した前記選択コンテンツを前記第１の記憶部に上記第１の鍵で暗号化して記録すると共に、
前記第２の送信部は、前記第２の制御部で暗号化して記録された上記暗号化コンテンツを前記第１の情報処理装置へ送信し、
前記第２の受信部は、前記第２の送信部によって送信された上記暗号化コンテンツを前記第２の情報処理装置から受信し、
前記第１の制御部は、前記第２の受信部で受信した上記暗号化コンテンツを前記第１の送信部で送信した上記第１の鍵に対応する上記第２の鍵で復号する
ことを特徴とする情報提供システム。
【請求項８】
視聴に地域制限があるコンテンツを配信するサーバから上記コンテンツを受信可能な情報処理装置であって、
視聴される上記コンテンツを選択する選択部と、
上記選択部により選択された選択コンテンツが自装置の位置において視聴可能であるか否かを判定する判定部と、
上記判定部により上記選択コンテンツの視聴が自装置の位置において可能であると判定された場合に、他の情報処理装置において、上記選択コンテンツを受信して記録する処理を許可すると共に、上記選択コンテンツを再生する処理を禁止する制御情報を生成する制御情報生成部と、
上記制御情報生成部により生成された前記制御情報を前記他の情報処理装置へ送信する送信部と、
を備えることを特徴とする情報処理装置。
【請求項９】
視聴に地域制限があるコンテンツを配信するサーバから上記コンテンツを受信可能な情報処理装置であって、
視聴される上記コンテンツを選択する選択部と、
上記選択部により選択された選択コンテンツが自装置の位置において視聴可能であるか否かを判定する判定部と、
上記判定部により上記選択コンテンツの視聴が自装置の位置において可能であると判定された場合に、他の情報処理装置において、上記選択コンテンツを受信して記録する処理を許可する制御情報を生成する制御情報生成部と、
前記制御情報生成部により生成された前記制御情報を前記他の情報処理装置へ送信する送信部と、
を備えることを特徴とする情報処理装置。
【請求項１０】
請求項８または９に記載の情報処理装置であって、
前記選択コンテンツを受信する受信部と、
前記制御情報生成部により前記制御情報が生成された場合、前記選択コンテンツを自装置に記録することを禁止すると共に、上記受信部で受信した前記選択コンテンツのリアルタイム再生を許可することを特徴とする情報処理装置。
【請求項１１】
視聴に地域制限があるコンテンツを配信するサーバから上記コンテンツを受信して記録する処理を許可すると共に、上記コンテンツを再生する処理を禁止する制御情報を、上記コンテンツの視聴が可能とされる地域に位置する情報処理装置から受信する受信部と、
上記受信部で受信した上記制御情報に基づいて上記サーバから受信した上記コンテンツを自己の記憶部である第１の記憶部に記録する処理を許可すると共に、上記コンテンツを再生する処理を禁止する制御部と、
を備えることを特徴とする情報処理装置。
【請求項１２】
視聴に地域制限があるコンテンツを配信するサーバから上記コンテンツを受信して記録する処理を許可する制御情報を、上記コンテンツの視聴が可能とされる地域に位置する情報処理装置から受信する受信部と、
上記受信部で受信した上記制御情報に基づいて上記サーバから受信した上記コンテンツを自己の記憶部である第１の記憶部に記録する処理を許可する制御部と、
を備えることを特徴とする情報処理装置。
【請求項１３】
請求項１２に記載の情報処理装置であって、
前記制御部は、自装置の位置が前記コンテンツの視聴が可能な位置か否かを判断し、視聴可能でない場合に前記コンテンツを再生する処理を禁止する、
ことを特徴とする情報処理装置。
【発明の詳細な説明】
【技術分野】
【０００１】
本発明は、情報提供システム、情報処理装置に関する。
【背景技術】
【０００２】
携帯端末とビデオ録画装置とを利用した番組録画再生システムが提案されている（特許文献１）。特許文献１に記載されている携帯端末とビデオ録画装置とを利用した番組録画再生システムでは、デジタルテレビ放送を受信可能な携帯端末と、ビデオ録画装置とを通信ネットワークにより接続し、携帯端末からビデオ録画装置に受信チャンネル情報と録画開始命令を送信し、ビデオ録画装置では、電子番組ガイド（ＥＰＧ）を利用して番組情報を取得し、番組の録画を実施することが可能である。
【先行技術文献】
【特許文献】
【０００３】
【特許文献１】特開２００７−１４２７４７号公報
【発明の概要】
【発明が解決しようとする課題】
【０００４】
ところで、テレビやラジオといった放送は、電波送信の免許や著作権、広告等の関係で、視聴地域に制限がある場合が多い。電波による放送では、電波の強度を制限することで受信地域を限定している。しかし、電波による放送は、受信場所の地形や環境により明瞭な視聴が困難な場合が生じている。そのため、近年ではインターネット等の電波以外の伝送路を利用した放送も検討されている。たとえばインターネットを利用したサイマル放送では、電波による放送と同一のコンテンツが配信され、非常に明瞭な受信が可能となるが、上述の種々の制約により、視聴地域は制限されることが想定される。
【０００５】
しかし、特許文献１に開示される番組録画再生システムでは、視聴地域が制限されるコンテンツについては考慮されていない。
【０００６】
そこで、本発明は、上述した課題に鑑み、視聴地域に制限があるコンテンツを適切に記録、再生することができる情報提供システム、情報処理装置を提供することを目的とする。
【課題を解決するための手段】
【０００７】
本発明の一側面は、視聴に地域制限があるコンテンツを配信するサーバと、コンテンツを受信する第１の情報処理装置及び第２の情報処理装置と、を備え、第１の情報処理装置は、視聴されるコンテンツを選択する選択部と、選択部により選択された選択コンテンツが自装置の位置において視聴可能であるか否かを判定する判定部と、判定部により選択コンテンツの視聴が自装置の位置において可能であると判定された場合に、第２の情報処理装置が選択コンテンツをサーバから受信して記録する処理を許可すると共に選択コンテンツの視聴及び記録された選択コンテンツの再生処理を禁止する制御情報を生成する第１の制御部と、第１の制御部により生成された制御情報を第２の情報処理装置へ送信する第１の送信部と、を有し、第２の情報処理装置は、第１の送信部から送信された制御情報を受信する第１の受信部と、第２の受信部で受信した制御情報に基づいてサーバから受信した選択コンテンツを自己の記憶部である第１の記憶部に記録する処理を許可すると共に、選択コンテンツを再生する処理を禁止する第２の制御部と、を有する情報提供システムである。
【０００８】
また、本発明の一側面は、視聴に地域制限があるコンテンツを配信するサーバと、コンテンツを受信する第１の情報処理装置及び第２の情報処理装置と、を備え、第１の情報処理装置は、視聴されるコンテンツを選択する選択部と、選択部により選択された選択コンテンツが自装置の位置において視聴可能であるか否かを判定する判定部と、判定部により選択コンテンツの視聴が自装置の位置において可能であると判定された場合に、第２の情報処理装置が選択コンテンツをサーバから受信して記録する処理を許可する制御情報を生成する第１の制御部と、制御情報を第２の情報処理装置へ送信する第１の送信部と、を有し、第２の情報処理装置は、第１の送信部から送信された制御情報を受信する第１の受信部と、第２の受信部で受信した制御情報に基づいてサーバから受信した選択コンテンツを自己の記憶部である第１の記憶部に記録する処理を許可すると共に、選択コンテンツの視聴及び記録した選択コンテンツを再生する処理を禁止する第２の制御部と、を有する情報提供システムである。
【０００９】
また、本発明の一側面は、上述した情報提供システムであって、第１の情報処理装置と第２の情報処理装置とが直接接続されると、第２の情報処理装置から第１の情報処理装置に対して、第２の情報処理装置を制御情報の送信先として指定する接続情報を送信することが好ましい。
【００１０】
また、本発明の一側面は、上述した情報提供システムであって、第１の情報処理装置及び第２の情報処理装置は、第１の情報処理装置と第２の情報処理装置との一方が他方を認証する、または相互に認証する認証部を有し、第１の送信部は認証部で認証された場合には制御情報を第２の情報処理装置へ送信し、認証されなかった場合には制御情報を第２の情報処理装置へ送信しないことが好ましい。
【００１１】
また、本発明の一側面は、上述した情報提供システムであって、第２の情報処理装置は、第１の記憶部に記憶された選択コンテンツを第１の情報処理装置へ送信する第２の送信部を有し、第１の情報処理装置は、第２の送信部によって第２の情報処理装置から送信された選択コンテンツを受信する第２の受信部と、第２の受信部で受信した選択コンテンツを第１の情報処理装置で再生する再生部と、を有することが好ましい。
【００１２】
また、本発明の一側面は、上述した情報提供システムであって、第２の制御部は、第１の情報処理装置と第２の情報処理装置とが直接接続された場合、または、第１の情報処理装置と第２の情報処理装置との距離が所定の閾値以下と判定された場合に、第１の記憶部に記憶された選択コンテンツの再生を許可することが好ましい。
【００１３】
また、本発明の一側面は、上述した情報提供システムであって、第１の情報処理装置は、選択コンテンツを暗号化するための第１の鍵と、第１の鍵で暗号化した暗号化コンテンツを復号するための第２の鍵とを記憶する第２の記憶部を有し、第１の送信部は、第２の記憶部に記憶された第１の鍵を第２の情報処理装置へ送信し、第１の受信部は、第１の鍵を第１の情報処理装置から受信し、第２の制御部は、制御情報に基づいてサーバから受信した選択コンテンツを第１の記憶部に第１の鍵で暗号化して記録すると共に、第２の送信部は、第２の制御部で暗号化して記録された暗号化コンテンツを第１の情報処理装置へ送信し、第２の受信部は、第２の送信部によって送信された暗号化コンテンツを第２の情報処理装置から受信し、第１の制御部は、第２の受信部で受信した暗号化コンテンツを第１の送信部で送信した第１の鍵に対応する第２の鍵で復号することが好ましい。
【００１４】
また、本発明の一側面は、上述した情報提供システムの構成要素である第１の情報処理装置である。すなわち、視聴に地域制限があるコンテンツを配信するサーバからコンテンツを受信可能な情報処理装置であって、視聴されるコンテンツを選択する選択部と、選択部により選択された選択コンテンツが自装置の位置において視聴可能であるか否かを判定する判定部と、判定部により選択コンテンツの視聴が自装置の位置において可能であると判定された場合に、他の情報処理装置において、選択コンテンツを受信して記録する処理を許可すると共に、選択コンテンツを再生する処理を禁止する制御情報を生成する制御情報生成部と、制御情報生成部により生成された制御情報を他の情報処理装置へ送信する送信部と、を備えるものである。
【００１５】
また、本発明の一側面は、上述した情報提供システムの構成要素である第１の情報処理装置である。すなわち、視聴に地域制限があるコンテンツを配信するサーバからコンテンツを受信可能な情報処理装置であって、視聴されるコンテンツを選択する選択部と、選択部により選択された選択コンテンツが自装置の位置において視聴可能であるか否かを判定する判定部と、判定部により選択コンテンツの視聴が自装置の位置において可能であると判定された場合に、他の情報処理装置において、選択コンテンツを受信して記録する処理を許可すると共に、選択コンテンツを再生する処理を禁止する制御情報を生成する制御情報生成部と、制御情報生成部により生成された制御情報を他の情報処理装置へ送信する送信部と、を備える情報処理装置である。
【００１６】
また、本発明の一側面は、上述した第１の情報処理装置であって、選択コンテンツを受信する受信部と、制御情報生成部により制御情報が生成された場合、選択コンテンツを自装置に記録することを禁止すると共に、受信部で受信した選択コンテンツのリアルタイム再生を許可することが好ましい。
【００１７】
また、本発明の一側面は、上述した情報提供システムの構成要素である第２の情報処理装置である。すなわち、視聴に地域制限があるコンテンツを配信するサーバからコンテンツを受信して記録する処理を許可すると共に、コンテンツを再生する処理を禁止する制御情報を、コンテンツの視聴が可能とされる地域に位置する情報処理装置から受信する受信部と、受信部で受信した制御情報に基づいてサーバから受信したコンテンツを自己の記憶部である第１の記憶部に記録する処理を許可すると共に、コンテンツを再生する処理を禁止する制御部と、を備える情報処理装置である。
【００１８】
また、本発明の一側面は、上述した情報提供システムの構成要素である第２の情報処理装置である。すなわち、視聴に地域制限があるコンテンツを配信するサーバからコンテンツを受信して記録する処理を許可する制御情報を、コンテンツの視聴が可能とされる地域に位置する情報処理装置から受信する受信部と、受信部で受信した制御情報に基づいてサーバから受信したコンテンツを自己の記憶部である第１の記憶部に記録する処理を許可する制御部と、を備える情報処理装置である。
【００１９】
また、本発明の一側面は、上述した第２の報処理装置であって、制御部は、自装置の位置がコンテンツの視聴が可能な位置か否かを判断し、視聴可能でない場合にコンテンツを再生する処理を禁止することが好ましい。
【発明の効果】
【００２０】
本発明によれば、視聴地域に制限があるコンテンツを適切に記録、再生することができる情報提供システム、情報処理装置を提供することができる。
【図面の簡単な説明】
【００２１】
【図１】本発明の実施例１に係る情報提供システムの概要を示す図である。
【図２】図１に示す可搬型記録再生装置および固定型記録再生装置を総称した放送受信機の主要部を示すブロック図である。
【図３】図１に示す可搬型記録再生装置と固定型記録再生装置とが直接接続して実行するペアリング処理を示すフローチャートである。
【図４】図１に示す可搬型記録再生装置と固定型記録再生装置との間で実行される認証処理を示すフローチャートである。
【図５】図４に示す認証処理の変形例を示すフローチャートである。
【図６】図１に示す可搬型記録再生装置の通常時の再生、記録処理を示すフローチャートであり、（Ａ）は、通常時の記録処理を示し、（Ｂ）は、通常時の再生処理を示すフローチャートである。
【図７】図１に示す可搬型記録再生装置から固定型記録再生装置へ記録権限を委譲すると共に、両装置での記録処理、再生処理の制御関係を示すフローチャートである。
【図８】図７に示す処理がなされた後に可搬型記録再生装置においてコンテンツを再生する処理を示すフローチャートである。
【図９】図８に示す再生処理の変形例を示すフローチャートである。
【図１０】本発明の実施例２に係る情報提供システムにおけるペアリング処理を示すフローチャートである。
【図１１】本発明の実施例２に係る情報提供システムにおける認証処理を示すフローチャートである。
【図１２】本発明の実施例３に係る情報提供システムにおける記録処理を示すフローチャートである。
【図１３】図１２の処理後に可搬型記録再生装置と固定型記録再生装置との間で実行される処理を示すフローチャートである。
【図１４】本発明の実施例４に係る情報提供システムにおける記録処理を示すフローチャートである。
【図１５】図１４の処理後に可搬型記録再生装置と固定型記録再生装置との間で実行される処理を示すフローチャートである。
【図１６】本発明の実施例４に係る情報提供システムにおける再生処理の一例を示すフローチャートである。
【発明を実施するための形態】
【００２２】
本発明の情報提供システム、情報処理装置の実施例について図面を参照しながら説明する。なお、本発明は、以下の実施例に限定されるものではない。
【実施例１】
【００２３】
（情報提供システム１の概要）
図１は、本発明の実施例１に係る情報提供システム１の概要を示す図である。図１に示すように情報提供システム１は、放送局１１、可搬型記録再生装置１２Ａ（請求項の第１の情報処理装置の一例）と、固定型記録再生装置１２Ｂ（請求項の第２の情報処理装置の一例）と、これらの装置へＩＰ（Internet Protocol）による放送（以後、「ＩＰ放送」と略す）を配信する配信サーバ１３（請求項のサーバの一例）とを有している。なお、図１に示す情報提供システム１では、図示の都合上、１つの放送局１１、１つの可搬型記録再生装置１２Ａ、１つの固定型記録再生装置１２Ｂ、１つの配信サーバ１３を示しているが、各々の装置をそれぞれ複数設けることができる。
【００２４】
配信サーバ１３は、放送局１１が放送するコンテンツ（映像、音声、静止画像のいずれかまたは複数により構成される番組等）を、放送局１１の視聴地域の制限の下、ＩＰ放送としてインターネット１４経由で配信する。ここで、配信サーバ１３がＩＰ放送として配信するコンテンツと、放送局１１が放送するコンテンツとの関係について説明する。配信サーバ１３がＩＰ放送として配信するコンテンツは、（１）放送局１１の放送波により放送されるコンテンツと同一のコンテンツ（ＩＰ再送信）、（２）放送局１１の放送波により放送されるコンテンツに加えて映像、静止画像、広告情報などが付加されたコンテンツ、（３）放送局１１の放送波により放送されるコンテンツとは別のコンテンツのいずれかの関係が想定されるが、本実施例においてこれら（１）〜（３）のいずれの関係であってもよい。
【００２５】
可搬型記録再生装置１２Ａは、たとえば携帯電話、ＰＤＡ（Personal Digital Assistant）等の携帯型の端末である。すなわち可搬型記録再生装置１２Ａは、ユーザに携帯されて移動し、放送局１１の視聴地域内に位置することが可能となる。なお、可搬型記録再生装置１２Ａのことを図面で説明する際に、便宜上「可搬機」と略す場合がある。
【００２６】
固定型記録再生装置１２Ｂは、たとえば家屋に設定される据え置き型の記録再生装置である。なお、固定型記録再生装置１２Ｂのことを図面で説明する際に、便宜上「固定機」と略す場合がある。
【００２７】
図１の例では、あるユーザが可搬型記録再生装置１２Ａと固定型記録再生装置１２Ｂの両方を保有し、固定型記録再生装置１２Ｂは、そのユーザの自宅に置かれ、可搬型記録再生装置１２Ａは、そのユーザに携帯されるものとする。
【００２８】
図１に示す可搬型記録再生装置１２Ａおよび固定型記録再生装置１２Ｂは、放送局１１からの放送波の信号レベルが所定値以上であると、放送局１１の放送対象地域内であると判断し、所定値未満であると、放送局１１の放送対象地域外であると判定する機能を有しており、配信サーバ１３からインターネット１４を介してコンテンツを受信しても、その判定結果により出力処理（視聴）、記録処理、デコード処理について制限することが可能となっている。なお、ここでいうデコード処理とは、ＩＰ放送等のコンテンツの高能率符号化されたデータを元のデータに戻す処理を指す。
【００２９】
また、図１に示す情報提供システム１では、可搬型記録再生装置１２Ａの存在する地域で受信可能なＩＰ放送として配信されるコンテンツが、視聴地域の制限を考慮した所定の仕組みにより、放送対象地域外に存在する固定型記録再生装置１２Ｂ側で記録処理、デコード処理を可能となる。
【００３０】
（可搬型記録再生装置１２Ａおよび固定型記録再生装置１２Ｂの構成）
図２は、図１に示す可搬型記録再生装置１２Ａおよび固定型記録再生装置１２Ｂを総称した放送受信機１２の主要部を示すブロック図である。なお、可搬型記録再生装置１２Ａと固定型記録再生装置１２Ｂとは、記憶容量の差、処理速度等の能力において相違するものとしてもよい。
【００３１】
アンテナ１９は、放送局１１の送信アンテナからの地上波アナログラジオ放送の電波を捕捉し、そのＲＦ信号は、チューナー部２３へ送られる。チューナー部２３は、主制御部２４からの指示に従い、所定周波数のＲＦ信号を選択して、それをＩＦ信号に変換してから復調部２５へ送る。復調部２５は、ＩＦ信号を復調して、音声信号を生成し、それを主制御部２４（請求項の制御部、第１の制御部、第２の制御部、制御情報生成部、判定部の一例）へ送る。通信部２７（請求項の第１の送信部、第２の送信部、受信部、第１の受信部、第２の受信部の一例）は、インターネット１４と主制御部２４の間に介在し、無線アンテナ２８を介してインターネット１４との間でデータを授受するとともに、主制御部２４との間でデータを授受する。これらのデータには、配信サーバ１３からＩＰ放送として配信されるコンテンツが含まれる。なお、通信部２７は、無線アンテナ２８を介してインターネット１４との間でデータを授受することとしたが、有線でインターネット１４との間を接続してもよい。
【００３２】
現在位置検出部２９は、不図示のＧＰＳ衛星からのＧＰＳ電波に基づき現在位置を測位し、現在位置情報を主制御部２４へ送る。なお、現在位置検出部２９は、図１に示す可搬型記録再生装置１２Ａでは必須だが、固定型記録再生装置１２Ｂでは、自己の位置情報が予め登録されて把握可能であれば必須のものではない。
【００３３】
操作部３３（請求項の選択部の一例）は、ユーザ操作を受け付けるキー等を備え、操作指示情報（操作指示信号）を主制御部２４へ送る。なお、操作部３３から主制御部２４へ入力される操作指示情報としては、たとえば、視聴したいコンテンツの選択を指示するコンテンツ選択指示情報、視聴しているコンテンツの視聴の終了を指示するコンテンツ視聴終了情報、視聴したい放送局１１の選択を指示する放送局選択指示情報、視聴したい放送局１１に対応する周波数の選択を指示する周波数選択指示情報、視聴しているコンテンツの記録（録画または録音を含む）を指示する記録指示情報、視聴しているコンテンツの記録の中止を指示する記録中止情報、記録されたコンテンツの再生を指示する再生指示情報、または再生の中止を指示する再生中止情報、後述する可搬型記録再生装置１２Ａおよび固定型記録再生装置１２Ｂとのペアリング処理（図３）の開始を指示するペアリング処理開始指示情報、コンテンツの送信を指示するコンテンツ送信指示情報などがある。
【００３４】
表示制御部３４は、主制御部２４から表示情報に係る信号が供給され、この表示情報を表示装置３５に表示する。音声制御部３６は、主制御部２４からの音声データを音声信号に変換し、スピーカ３７へ送る。スピーカ３７は、音声制御部３６からの音声信号を音に変換して出力する。なお、主制御部２４、音声制御部３６、表示制御部３４は再生部として機能してもよい。
【００３５】
ＲＯＭ４０には、プログラムや固定データが記録され、主制御部２４は、ＲＯＭ４０に記録されているこれらのデータを適宜読み出す。ＲＡＭ４１は、主制御部２４が演算処理中にデータを一時記憶するのに使用される。記憶部４３（請求項の記憶部、鍵情報記憶部の一例）は、放送局１１から受信したコンテンツ、または配信サーバ１３から受信したコンテンツを記録する記録媒体である。また、記憶部４３には、後述する認証処理（図４）、認証処理のための事前処理（図３）、記録権限委譲処理（図７）および再生処理（図８）に用いられる公開鍵情報、秘密鍵情報などが記録されている。また、記憶部４３には、放送局１１の放送周波数に対応付けて配信サーバ１３のＵＲＬまたはＩＰアドレスが記憶されている。この記憶部４３に放送局１１から受信したコンテンツを記憶する際に、ＩＰ放送によるコンテンツと同じ形式で記録できるようにエンコード処理が行われ、またそのデータを元に戻すためのデコード処理を行うようにしてもよい。また、アナログ放送およびＩＰ放送では、主制御部２４により放送選択や受信制御や音声調整などが適宜行われるものとする。
【００３６】
認証暗号部４４（請求項の認証部の一例）は、認証部と、暗号部と、復号部とから構成される。認証部は、放送受信機１２が可搬型記録再生装置１２Ａである場合は、固定型記録再生装置１２Ｂを、放送受信機１２が固定型記録再生装置１２Ｂである場合は、可搬型記録再生装置１２Ａを、それぞれ認証する処理を実行する。この認証により、図２に示す各ブロックの信号の流れが制御される。たとえば放送コンテンツを視聴及び記録することが制御される。暗号部は、ＩＰ放送により受信したコンテンツを暗号化する。復号部は、暗号部で暗号化されたデータを復号して元に戻す。
【００３７】
なお、本実施例では記録可能なことを仮に「記録権限（記録権）」と呼ぶことにする。また、認証部では、可搬型記録再生装置１２Ａと固定型記録再生装置１２Ｂとを直接接続してお互いを認証できるようにするための事前処理（この事前処理を「ペアリング処理」と呼ぶことにする）、および認証処理を行う。ここで、可搬型記録再生装置１２Ａと固定型記録再生装置１２Ｂとの直接接続とは、たとえば、シリアルインタフェースやＵＳＢといった有線接続や、ＢｌｕｅＴｏｏｔｈ（登録商標）、無線ＬＡＮ，赤外線通信といった無線接続などの長距離接続が出来ない汎用接続手段を含む。その他、オリジナルバスや独自通信線を用いてもよい。なお、放送受信機１２としては表示制御部３４、表示装置３５、音声制御部３６、スピーカ３７を示したが、固定型記録再生装置１２Ｂにおいては、これらがなくてもよい。
【００３８】
（ペアリング処理）
図３は、図１に示す可搬型記録再生装置１２Ａと固定型記録再生装置１２Ｂとを直接接続して実行するペアリング処理を示すフローチャートである。以下の処理の前提として、可搬型記録再生装置１２Ａは、自己の電子証明書Ｃｍ、公開鍵Ｋｍ、この公開鍵Ｋｍに対応した秘密鍵Ｋｐを有しているものとし、固定型記録再生装置１２Ｂは、自己の電子証明書Ｃｆ、公開鍵Ｋｆ、この公開鍵Ｋｆに対応した秘密鍵Ｋｔ、および自装置へ接続するためのインターネット接続情報Ｌｆを有しているものとする。なお、ここでいうインターネット接続情報Ｌｆとは、たとえば、固定型記録再生装置１２Ｂに設定されているＩＰアドレスやＭＡＣ（Media Access Control address）アドレスである。
【００３９】
図３に示すペアリング処理は、図１に示す可搬型記録再生装置１２Ａと固定型記録再生装置１２Ｂとが直接接続されることにより処理が開始される。可搬型記録再生装置１２Ａは、固定型記録再生装置１２Ｂに対して自己の電子証明書Ｃｍと公開鍵Ｋｍを送信する（ステップＳ１）。
【００４０】
固定型記録再生装置１２Ｂは、ステップＳ１で可搬型記録再生装置１２Ａから送信されてきた電子証明書Ｃｍと公開鍵Ｋｍとを受信して記憶する（ステップＳ２）。そして、固定型記録再生装置１２Ｂは、可搬型記録再生装置１２Ａに対して自己の電子証明書Ｃｆと公開鍵Ｋｆを送信する（ステップＳ３）。
【００４１】
可搬型記録再生装置１２Ａは、ステップＳ３で固定型記録再生装置１２Ｂから送信されてきた電子証明書Ｃｆと公開鍵Ｋｆとを受信して記憶する（ステップＳ４）。また、固定型記録再生装置１２Ｂは、可搬型記録再生装置１２Ａに対して自装置へ接続するためのインターネット接続情報Ｌｆを送信する（ステップＳ５）。
【００４２】
可搬型記録再生装置１２Ａは、固定型記録再生装置１２Ｂから送信されてきたインターネット接続情報Ｌｆを受信して記憶する（ステップＳ６）。そして、その後、可搬型記録再生装置１２Ａと固定型記録再生装置１２Ｂとの接続が外されるとペアリング処理は終了する（ＥＮＤ）。
【００４３】
図３に示して説明したペアリング処理により、双方が、相手方を特定する情報（電子証明書）および相手方の公開鍵を有している状況となり、その後の相互の認証処理を可能としている。
【００４４】
（認証処理）
図３のペアリング処理が行われた後、可搬型記録再生装置１２Ａは、２つの機器をインターネット１４経由でセッションを確立することにより、お互いは通信可能となり、そこで相互の認証処理を行う。
【００４５】
図４は、図１に示す可搬型記録再生装置１２Ａと固定型記録再生装置１２Ｂとの間で実行される認証処理を示すフローチャートである。この図４に示す認証処理では、自己の電子証明書Ｃｍ、Ｃｆを相手の公開鍵Ｋｍ、Ｋｆで暗号化して相手側へ送るとともに、相手側から受信したものを自己のもつ秘密鍵Ｋｐ、Ｋｔで復号して、ペアリング処理時に受信した電子証明書Ｃｍ、Ｃｆと一致しているか否かを確かめる処理を行っている。なお、図４に示す認証処理は、図３に示すペアリング処理がなされた後に実行されること、可搬型記録再生装置１２Ａおよび固定型記録再生装置１２Ｂがインターネット１４に接続され、相互に通信可能な状態であることが開始（ＳＴＡＲＴ）の前提となる。
【００４６】
可搬型記録再生装置１２Ａは、固定型記録再生装置１２Ｂへ接続するためのインターネット接続情報Ｌｆに基づいて、固定型記録再生装置１２Ｂへ接続する（ステップＳ１１）。固定型記録再生装置１２Ｂは、ステップＳ１１において可搬型記録再生装置１２Ａから接続要求を受けると、可搬型記録再生装置１２Ａとの通信を確立する（ステップＳ１２）。
【００４７】
可搬型記録再生装置１２Ａは、固定型記録再生装置１２Ｂとの通信が確立した場合には、自装置の電子証明書Ｃｍを固定型記録再生装置１２Ｂの公開鍵Ｋｆで暗号化し、暗号化した電子証明書を固定型記録再生装置１２Ｂへ送信する（ステップＳ１３）。すると、固定型記録再生装置１２Ｂは、可搬型記録再生装置１２Ａから送信されてきた暗号化された電子証明書を自己の秘密鍵Ｋｔで復号する（ステップＳ１４）。
【００４８】
そして、固定型記録再生装置１２Ｂは、ステップＳ１４において自己の秘密鍵Ｋｔで復号された電子証明書と、ペアリング処理の際に可搬型記録再生装置１２Ａから受信した電子証明書（すなわち、図３のステップＳ２で受信した電子証明書Ｃｍ）とを比較して一致しているか否かを判定する（ステップＳ１５）。
【００４９】
ステップＳ１５において両者の電子証明書が一致している場合には、固定型記録再生装置１２Ｂは、可搬型記録再生装置１２Ａへ自己の電子証明書Ｃｆを可搬型記録再生装置１２Ａの公開鍵Ｋｍで暗号化して送信し（ステップＳ１６）、固定型記録再生装置１２Ｂ側での認証処理は合格と判定する（ステップＳ１７）。一方、ステップＳ１５において両者の電子証明書が一致していない場合には、固定型記録再生装置１２Ｂ側での認証処理は不合格と判定し（ステップＳ１８）、処理を終了する（ＥＮＤ）。
【００５０】
一方、可搬型記録再生装置１２Ａは、固定型記録再生装置１２ＢよりステップＳ１６で送信される暗号化された電子証明書を受信したか否かを判定し（ステップＳ１９）、受信したと判定した場合、その電子証明書を自己の秘密鍵Ｋｐにより復号する（ステップＳ２０）。
【００５１】
可搬型記録再生装置１２Ａは、ステップＳ２０で復号した電子証明書と、ペアリング処理の際に固定型記録再生装置１２Ｂから受信した電子証明書（すなわち、図３のステップＳ４で受信した電子証明書Ｃｆ）とを比較して一致しているか否かを判定する（ステップＳ２１）。可搬型記録再生装置１２Ａは、ステップＳ２１の比較により一致している場合には、認証は合格と判定し（ステップＳ２２）、一致していない場合には、不合格と判定し（ステップＳ２３）、処理を終了する（ＥＮＤ）。
【００５２】
このように、認証部は、たとえば、お互いがユニークに認識できる情報を予め交換しておき、その交換後に２つの機器をインターネット１４経由で接続した際にお互いがこれらの交換した情報に基づいて認識できるようにしている。なお、図４に示す認証処理では、可搬型記録再生装置１２Ａの電子証明書を送付して、認証が合格した場合に、固定型記録再生装置１２Ｂの電子証明書を送付する順番としたが、図５に示すように、その順序を逆にする（固定型記録再生装置１２Ｂの電子証明書を送付して、認証が合格した場合に可搬型記録再生装置１２Ａの電子証明書を送付する）ようにしてもよい。すなわち、図４に示すステップＳ１３〜Ｓ２３までの処理主体が逆の関係となっている図５のステップＳ１３Ａ〜Ｓ２３Ａの処理となるようにしてもよい。
【００５３】
（通常時の再生、記録処理）
図６は、図１に示す可搬型記録再生装置１２Ａの通常時の再生、記録処理を示すフローチャートであり、（Ａ）は、通常時の記録処理を示し、（Ｂ）は、通常時の再生処理を示すフローチャートである。図６に示す通常時の再生、記録処理とは、たとえば、視聴制限のあるコンテンツを視聴可能地域内にいるユーザが可搬型記録再生装置１２Ａで操作部３３を操作して選択した場合などに行われる処理であり、この処理の前提として当該コンテンツの記録権限情報があるか否かが判定され、ＩＰ放送の出力が可能であると判定された後に実行されるものである。
【００５４】
ここで、「記録権限情報」とは、選択されたコンテンツを記録する権限があるか否かを判定するための情報である。この「記録権限情報」の有無に基づいて選択されたコンテンツが視聴可能な地域であるか否かを判定し、視聴可能な地域と判定した場合（つまり記録権限情報がある場合）には、選択されたコンテンツの記録が認められるものとし、選択されたコンテンツと対応付けられて保存する。なお、記録権限情報はコンテンツではなく、そのコンテンツを提供する放送局情報、またはそのコンテンツを提供する放送局１１に対応する周波数情報と対応付けられて保存するようにしてもよい。
【００５５】
この記録権限情報は、所定期間ごと、もしくは、コンテンツが選択されたタイミング毎に更新される。なお、ユーザがコンテンツを直接選択するものでなくてもよく、放送局１１、または放送局１１に対応する周波数をユーザが直接選択するものであっても構わない。以下の説明ではコンテンツをユーザが直接選択する例を説明するが、放送局１１や放送局１１に対応する周波数をユーザが直接選択するものであってもよい。
【００５６】
可搬型記録再生装置１２Ａは、図６の（Ａ）に示すように、インターネット１４に接続し、選択されたコンテンツに対応した配信サーバ１３に対してコンテンツ配信要求を送信して、ＩＰ放送を受信する（ステップＳ３１）。可搬型記録再生装置１２Ａは、受信したＩＰ放送をデコードして再生すると共に、受信したＩＰ放送を記憶部４３に記録する（ステップＳ３２）。
【００５７】
そして、可搬型記録再生装置１２Ａは、受信したＩＰ放送を操作部３３からの指示により再生を停止すると、受信したＩＰ放送を記憶部４３に記録する処理を止める（ステップＳ３３）。そして、可搬型記録再生装置１２Ａは、インターネット１４接続を止めて（ステップＳ３４）、記録処理を終了する（ＥＮＤ）。
【００５８】
また、可搬型記録再生装置１２Ａは、図６の（Ｂ）に示すように、記憶部４３に記録されたＩＰ放送のコンテンツを再生する（ステップＳ３５）。そして、可搬型記録再生装置１２Ａは、記憶部に記録されたＩＰ放送のコンテンツの再生処理を停止して（ステップＳ３６）、再生処理を終了する（ＥＮＤ）。
【００５９】
（記録権限委譲処理）
図７は、図１に示す可搬型記録再生装置１２Ａから固定型記録再生装置１２Ｂへ記録権限を委譲すると共に、両装置での記録処理、再生処理の制御関係を示すフローチャートである。図７に示す記録権限委譲処理は、たとえば、可搬型記録再生装置１２Ａが、放送局１１の視聴可能地域内に持ち込まれ、その放送は固定型記録再生装置１２Ｂの設置された地域では視聴できない状況において、有効な処理である。この記録権限委譲処理がなされた場合、可搬型記録再生装置１２Ａでは、記録権のみがなくなるので、ＩＰ放送の受信および視聴は保たれる。一方、固定型記録再生装置１２Ｂでは、記録権のみがあるのでＩＰ放送の受信とその記録は許されるが視聴は許されないことになる。
【００６０】
まず、可搬型記録再生装置１２Ａが実行するステップＳ４１〜ステップＳ５０までの処理について説明する。可搬型記録再生装置１２Ａは、操作部３３からコンテンツの選択指示情報および固定型記録再生装置１２Ｂでの記録指示情報が入力されると、インターネット１４に接続し、図４で説明した認証処理を固定型記録再生装置１２Ｂとの間で行う（ステップＳ４１）。可搬型記録再生装置１２Ａは、認証処理の合否判定を行う（ステップＳ４２）。
【００６１】
ステップＳ４２の認証処理において合格した場合には、可搬型記録再生装置１２Ａは、固定型記録再生装置１２Ｂとインターネット接続を確立する（ステップＳ４３）。なお、ステップＳ４２の認証処理において不合格と判定された場合には、可搬型記録再生装置１２Ａは、固定型記録再生装置１２Ｂとインターネット接続を確立しない（ステップＳ４９）。
【００６２】
可搬型記録再生装置１２Ａは、コンテンツの記録権限を固定型記録再生装置１２Ｂへ委譲する（ステップＳ４４、以下、固定型記録再生装置１２Ｂとセッションが確立し、記録権限が委譲された状態を「記録委譲モード」と呼ぶ）。記録権限を委譲する処理は、たとえば、固定型記録再生装置１２Ｂに対し、固定型記録再生装置１２Ｂがサーバ１３からコンテンツを受信して記録する処理を許可すると共に、コンテンツの視聴及び再生処理は禁止するよう制御させる制御情報を送信するものである。
【００６３】
可搬型記録再生装置１２Ａは、配信サーバ３０へＩＰ放送の配信要求を行って、ＩＰ放送を受信する（ステップＳ４５）。可搬型記録再生装置１２Ａは、受信したＩＰ放送をデコードして再生すると共に、ＩＰ放送で配信されるコンテンツの記録を固定型記録再生装置１２Ｂへ指示する（ステップＳ４６）。
【００６４】
そして、可搬型記録再生装置１２Ａは、操作部３３から記録停止の指示があった場合や予約録画の時間が終了した場合など受信したＩＰ放送の再生を止める場合には、このＩＰ放送の記録を中止する旨を固定型記録再生装置１２Ｂへ指示する（ステップＳ４７）。可搬型記録再生装置１２Ａは、固定型記録再生装置１２ＢからＩＰ放送の記録権限の返還を受ける（ステップＳ４８）。そして、可搬型記録再生装置１２Ａは、インターネット接続を止めて（ステップＳ５０）、記録権限委譲処理を終了する（ＥＮＤ）。
【００６５】
続いて、固定型記録再生装置１２Ｂが実行するステップＳ５１〜ステップＳ６０までの処理について説明する。固定型記録再生装置１２Ｂは、図４で説明した認証処理を可搬型記録再生装置１２Ａとの間で行う（ステップＳ５１）。固定型記録再生装置１２Ｂは、認証処理の合否判定を行う（ステップＳ５２）。
【００６６】
固定型記録再生装置１２Ｂは、ステップＳ５２において合格と判定された場合には、可搬型記録再生装置１２Ａとインターネット接続を確立し（ステップＳ５３）、記録権限を可搬型記録再生装置１２Ａから委譲してもらう（ステップＳ５４）。一方、不合格と判定した場合には可搬型記録再生装置１２Ａとのインターネット接続を止めて（ステップＳ６１）、処理を終了する（ＥＮＤ）。
【００６７】
固定型記録再生装置１２Ｂは、記録権限を可搬型記録再生装置１２Ａから委譲してもらうと、ステップＳ５４において、記録権限が可搬型記録再生装置１２Ａから委譲されたため、配信サーバ３０へＩＰ放送の配信要求を行って、ＩＰ放送を受信する（ステップＳ５５）。
【００６８】
固定型記録再生装置１２Ｂは、受信したＩＰ放送によるコンテンツのリアルタイム視聴を禁止すると共に、認証した可搬型記録再生装置１２Ａの公開鍵Ｋｍ（請求項の第１の鍵の一例）で暗号化する（ステップＳ５６）。なお、暗号化に使用される公開鍵は、認証した可搬型記録再生装置１２Ａが提供する鍵であれば、公開鍵Ｋｍとは異なる公開鍵であってもよい。そして、固定型記録再生装置１２Ｂは、ステップＳ４６において可搬型記録再生装置１２Ａから記録指示を受信すると、暗号化されたコンテンツを記憶部４３に記録する（ステップＳ５７）。
【００６９】
固定型記録再生装置１２Ｂは、ステップＳ４５において可搬型記録再生装置１２Ａから記録中止指示を受信すると、暗号化されたコンテンツを記憶部４３に記録する処理を中止する（ステップＳ５８）。固定型記録再生装置１２Ｂは、ＩＰ放送の受信を止める（ステップＳ５９）。そして、固定型記録再生装置１２Ｂは、ＩＰ放送の記録権限を可搬型記録再生装置１２Ａへ返還して（ステップＳ６０）、処理を終了する（ＥＮＤ）。
【００７０】
図７に示したように、記録委譲モードに入った可搬型記録再生装置１２Ａは、ネットワークＩ／Ｆからデコードしてたとえばリアルタイムに音声を聴いたり、映像を表示させることができるが、記録権限は固定型記録再生装置１２Ｂに委譲されるので、可搬型記録再生装置１２Ａに記録することができなくなる。一方、ペアリングした固定型記録再生装置１２Ｂでは、記録権限を得たので、ネットワークＩ／Ｆからコンテンツを受信し、暗号部にて暗号化して固定型記録再生装置１２Ｂで記録することができるようになる。ただし、受信したコンテンツのリアルタイム視聴は、主制御部２４にて制限される。
【００７１】
そして、固定型記録再生装置１２Ｂでは、認証部はデータがネットワークＩ／Ｆからデコードできないようにして（つまり、可搬型記録再生装置１２Ａから渡された公開鍵Ｋｍで暗号化し、その公開鍵Ｋｍに対応した秘密鍵Ｋｐを入手しなければデコードできないようにして）記録し、記録されたデータは再生しないように制限するものとする。そうすれば、万が一、記憶部４３が装置から外されて他の記録再生装置に取り付けられても復号は非常に困難となる。
【００７２】
可搬型記録再生装置１２Ａとペアリングされた固定型記録再生装置１２Ｂでは、配信サーバ１３から送信されたコンテンツが記録可能となる。また、仮に、固定型記録再生装置１２Ｂから可搬型記録再生装置１２Ａへ記録されたコンテンツを伝送する場合、その伝送されるデータは暗号化されているので、万が一、抜き取られても復号できないので安全である。可搬型記録再生装置１２Ａで受けたデータは、内部の秘密鍵と復号部にて復号され、デコードされて音声に戻すことが出来る。
【００７３】
（再生処理）
図８は、図７に示す処理がなされた後に可搬型記録再生装置１２Ａにおいてコンテンツを再生する処理を示すフローチャートである。図８に示す処理は、図７に示す処理が行われた後、お互いに直接接続して実行される処理である。たとえば可搬型記録再生装置１２Ａを携帯していたユーザが自宅に戻り、可搬型記録再生装置１２Ａを固定型記録再生装置１２Ｂに直接接続したとき処理が開始される。
【００７４】
図８に示す再生処理は、可搬型記録再生装置１２Ａと固定型記録再生装置１２Ｂとが直接接続されることにより処理が開始される。なお、可搬型記録再生装置１２Ａまたは固定型記録再生装置１２Ｂの操作部３３から再生開始の指示があった場合にのみ処理を開始してもよい。固定型記録再生装置１２Ｂは、記憶部４３に記録されている可搬型記録再生装置１２Ａの公開鍵Ｋｍ（請求項の第１の鍵の一例）で暗号化されたコンテンツを可搬型記録再生装置１２Ａに対して送信する（ステップＳ７１）。すると、可搬型記録再生装置１２Ａは、公開鍵Ｋｍで暗号化されたコンテンツを固定型記録再生装置１２Ｂより受信する（ステップＳ７２）。そして、可搬型記録再生装置１２Ａは、公開鍵Ｋｍで暗号化されたコンテンツを自己の秘密鍵Ｋｐ（請求項の第２の鍵の一例）で復号する（ステップＳ７３）。可搬型記録再生装置１２Ａは、復号したコンテンツをデコードして出力する、つまりユーザはＩＰ放送を視聴する（ステップＳ７４）。可搬型記録再生装置１２Ａは、操作部３３から再生停止の指示があった場合や録画したＩＰ放送の番組が終了した場合などに復号したコンテンツのデコードを止める、つまり、ユーザは復号したコンテンツの視聴を止める（ステップＳ７５）。すると、固定型記録再生装置１２Ｂは、暗号化されたコンテンツの送信を止める（ステップＳ７６）。そして、可搬型記録再生装置１２Ａと固定型記録再生装置１２Ｂとの接続が外されると、処理が終了する（ＥＮＤ）。
【００７５】
図８に示す再生処理とすることで、視聴可能地域外にある固定型記録再生装置１２Ｂに記録されたコンテンツが、特に制限なく、記録されたものをそのまま再生させることはできず、視聴制限のあるコンテンツの権限関係を考慮したものとすることができる。なお、図８に示す再生処理をインターネット１４経由で行うものとしてもよい。その場合には、図９に示すように、図４、図５で示した認証処理を実行した後に、図８のステップＳ７１以降の処理を行えばよい。図９に示す例では、インターネット１４経由で送信していても、認証処理や暗号化をしているので、記録権限を持つ可搬型記録再生装置１２Ａでのみ再生が可能となり、視聴制限のあるコンテンツの権限関係を考慮したものとすることができる。
【００７６】
このように、配信サーバ１３からＩＰ放送として配信するコンテンツを固定型記録再生装置１２Ｂにおいて受信し、記録している間は、可搬型記録再生装置１２Ａではそのコンテンツの記録はできないものとして制御するが、リアルタイムでの視聴については可能とする。一方、固定型記録再生装置１２Ｂ側では、そのコンテンツのリアルタイムでの視聴およびそのコンテンツの記録したものの再生視聴をそのままではできないように制御する仕組みを実現している。
【００７７】
たとえば、視聴可能地域内にある可搬型記録再生装置１２Ａでコンテンツの視聴をしながら記録すると共に、視聴可能地域外にある固定型記録再生装置１２Ｂでも同時にこのコンテンツの記録を可能とするような状況を許してしまうと、本来視聴制限のあるコンテンツが、視聴地域の制限に関係なく記録できる状況を作り出してしまうため好ましくない。
【００７８】
また、視聴可能地域外にある固定型記録再生装置１２Ｂに記録されたコンテンツが、特に制限なく、リアルタイムでの視聴ができる、または記録したものをそのまま再生できる状況を許してしまうと、本来視聴制限のあるコンテンツが、視聴地域の制限に関係なく再生できる状況を作り出してしまうため好ましくない。したがって、これらの不都合を上述したような仕組みを実現することで、視聴制限のあるコンテンツの権限関係を考慮したものとすることができる。
【００７９】
また、視聴制限のあるコンテンツを可搬型記録再生装置１２Ａで記録して、記録したコンテンツをインターネット１４経由で固定型記録再生装置１２Ｂへ直接送信することも想定できるが、このような場合には、インターネット１４上のユニキャスト通信が増加し、配信サーバ１３がマルチキャスト通信により可搬型記録再生装置１２Ａおよび固定型記録再生装置１２Ｂへコンテンツを配信する方法と比較して、インターネット１４上のトラフィックを少なくすることも可能となる。
【００８０】
また、上述したような仕組みを実現することで、たとえば、ユーザが所有する可搬型記録再生装置１２Ａにおける記憶容量が配信サーバ１３から送信されたコンテンツを記録するために不足している場合には、視聴については可搬型記録再生装置１２Ａで行うものの、そのコンテンツの記録については自宅にある固定型記録再生装置１２Ｂに変更することで、その後にユーザが自宅に戻って固定型記録再生装置１２Ｂに記録されたコンテンツを再生するということも可能となる。
【００８１】
なお、上記実施例１では、可搬型記録再生装置１２Ａがコンテンツ視聴地域内に、固定型記録再生装置１２Ｂが視聴地域外に位置している場合に備えて視聴制限のあるコンテンツの権限関係を考慮した仕組みとしているが、図７の処理の直前に、可搬型記録再生装置１２Ａが固定型記録再生装置１２Ｂに対して位置確認を行い、固定型記録再生装置１２Ｂが視聴地域外に位置している場合は図７の処理、固定型記録再生装置１２Ｂが視聴地域内に位置している場合は図６と同様の通常処理を固定型記録再生装置１２Ｂが行うように選択することも可能である。
【実施例２】
【００８２】
本発明の実施例２について説明する。実施例２は、図３、図４で示したペアリング処理および認証処理が実施例１と異なる。具体的には、実施例１では、可搬型記録再生装置１２Ａと固定型記録再生装置１２Ｂとの間で相互に認証するものとしたが、実施例２では、一方の可搬型記録再生装置１２Ａのみで認証を実行するものとし、相互に認証するものではない、より簡易な方法を採用している。このような簡易な方法とすることでも、実施例１で説明した効果を奏することができる。なお、実施例１で示した情報提供システム１と構成は同一であるため、同一の機能については同一の符号を付して説明すると共に、図示および各機能の説明は省略する。
【００８３】
（ペアリング処理）
可搬型記録再生装置１２Ａと固定型記録再生装置１２Ｂとを所定の距離以内で直接接続してペアリング処理を行う。所定の距離以内の直接接続とは、たとえば、シリアルインタフェースやＵＳＢといった有線接続や、ＢｌｕｅＴｏｏｔｈ（登録商標）、無線ＬＡＮ，赤外線通信といった無線接続などの長距離接続が出来ない汎用接続手段を含む。その他、オリジナルバスや独自通信線を用いることも有効である。
【００８４】
図１０は、本発明の実施例２に係る情報提供システムにおけるペアリング処理を示すフローチャートである。以下の処理の前提として、可搬型記録再生装置１２Ａは、自己の認証情報ＩＤｍ、公開鍵Ｋｍ、秘密鍵Ｋｐを有しているものとし、固定型記録再生装置１２Ｂは、自装置へ接続するためのインターネット接続情報Ｌｆを有しているものとする。なお、ここでいうインターネット接続情報Ｌｆとは、たとえば、固定型記録再生装置１２Ｂに設定されているＩＰアドレスやＭＡＣアドレスである。
【００８５】
図１０に示すペアリング処理は、可搬型記録再生装置１２Ａと固定型記録再生装置１２Ｂとが直接接続されることにより処理が開始される（ＳＴＡＲＴ）。可搬型記録再生装置１２Ａは、固定型記録再生装置１２Ｂに対して自己の認証情報ＩＤｍと公開鍵Ｋｍを送信する（ステップＳ８１）。
【００８６】
固定型記録再生装置１２Ｂは、ステップＳ８１で可搬型記録再生装置１２Ａから送信されてきた認証情報ＩＤｍと公開鍵Ｋｍとを受信して記憶する（ステップＳ８２）。そして、固定型記録再生装置１２Ｂは、可搬型記録再生装置１２Ａに対して自装置へ接続するためのインターネット接続情報Ｌｆを送信する（ステップＳ８３）。
【００８７】
可搬型記録再生装置１２Ａは、ステップＳ８３で固定型記録再生装置１２Ｂから送信されてきたインターネット接続情報Ｌｆを受信して記憶する（ステップＳ８４）。そして、ステップＳ８４が完了すると、可搬型記録再生装置１２Ａと固定型記録再生装置１２Ｂとの接続が外されてペアリング処理は終了する（ＥＮＤ）。
【００８８】
図１０に示して説明したペアリング処理により、可搬型記録再生装置１２Ａが、相手方に自装置の認証情報と自己の公開鍵Ｋｍを渡している状況となり、その後の認証処理を可能としている。
【００８９】
（認証処理）
図１１は、本発明の実施例２に係る情報提供システムにおける認証処理を示すフローチャートである。図１０のペアリング処理が行われた可搬型記録再生装置１２Ａと固定型記録再生装置１２Ｂとは、その後接続を外し、可搬型記録再生装置１２Ａは、放送局１１の視聴可能地域内に持ち込まれた状況において、２つの機器をインターネット１４経由でセッションを確立することにより、お互いは通信可能となり、そこで認証処理を行う。
【００９０】
この図１１に示す認証処理では、可搬型記録再生装置１２Ａの認証情報ＩＤｍを固定型記録再生装置１２Ｂ側から要求し、可搬型記録再生装置１２Ａから受信したものを自己の有する認証情報と一致しているか否かにより、ペアリング処理を行った可搬型記録再生装置１２Ａであることを確かめる処理を行っている。なお、図１１に示す認証処理は、図１０に示すペアリング処理がなされた後に実行されること、可搬型記録再生装置１２Ａおよび固定型記録再生装置１２Ｂがインターネット１４に接続され、相互に通信可能な状態であることが開始の前提となる。
【００９１】
可搬型記録再生装置１２Ａは、固定型記録再生装置１２Ｂへ接続するためのインターネット接続情報Ｌｆに基づいて、固定型記録再生装置１２Ｂへ接続する（ステップ８１）。一方、固定型記録再生装置１２Ｂは、ステップＳ８１において可搬型記録再生装置１２Ａから接続要求を受けると、可搬型記録再生装置１２Ａとの通信を確立し、図８に示すペアリング処理をした可搬型記録再生装置１２Ａであることを確認するために、可搬型記録再生装置１２Ａに対して認証情報ＩＤｍの送信を求める（ステップＳ８２）。
【００９２】
可搬型記録再生装置１２Ａは、固定型記録再生装置１２Ｂからの認証情報ＩＤｍの要求を受信した場合には、自装置の認証情報ＩＤｍを固定型記録再生装置１２Ｂへ送信する（ステップＳ８３）。なお、この認証情報ＩＤｍを送信する際に暗号化して送信するようにしてもよい。
【００９３】
固定型記録再生装置１２Ｂは、可搬型記録再生装置１２Ａから認証情報を受信すると（ステップＳ８４）、図１０に示すペアリング処理により記憶した可搬型記録再生装置１２Ａの認証情報ＩＤｍと比較して両者が一致しているか否かを判定する（ステップＳ８５）。固定型記録再生装置１２Ｂは、比較した結果、両者が一致した場合には、図８に示すペアリング処理をした可搬型記録再生装置１２Ａであるため、認証を合格とし（ステップＳ８６）、一致しない場合には、図１０に示すペアリング処理をした可搬型記録再生装置１２Ａではないため、認証を不合格とする（ステップＳ８７）。そして、固定型記録再生装置１２Ｂは、その合否判定情報を可搬型記録再生装置１２Ａに送信する（ステップＳ８８）。
【００９４】
可搬型記録再生装置１２Ａは、固定型記録再生装置１２Ｂから送信されてきた合否判定情報を受信し（ステップＳ８９）、合否判定情報に基づいて合否判定を行い（ステップＳ９０）、合格である場合には、図１０に示すペアリング処理をした固定型記録再生装置１２Ｂであるため、合格とし（ステップＳ９１）、不合格であれば、図１０に示すペアリング処理をした固定型記録再生装置１２Ｂではないため、不合格とする（ステップＳ９２）。
【００９５】
図１１に示す認証方法のように、相互に認証することなく、一方の認証情報に基づいて、認証処理を実行することでも、実施例１と同様の効果を奏する情報提供システムを実現することができる。なお、実施例２では、可搬型記録再生装置１２Ａの有する認証情報ＩＤｍを用いて認証処理を行ったが、固定型記録再生装置１２Ｂが有する認証情報を図１０に示すペアリング処理時に可搬型記録再生装置１２Ａ側へ送信し、認証処理の際に、その認証情報を固定型記録再生装置１２Ｂへ送信して、判定を実行するようにしてもよい。
【実施例３】
【００９６】
本発明の実施例３について説明する。実施例３では、図４で示した相互の認証処理を行わずに、可搬型記録再生装置１２Ａの識別情報（たとえば、可搬型記録再生装置１２Ａのシリアル番号情報、ＭＡＣアドレス情報など）、ユーザが記録を所望するコンテンツを配信サーバ１３から取得するために必要となる接続情報（たとえば、配信サーバ１３のＵＲＬなどの接続情報）を含むコンテンツ情報を固定型記録再生装置１２Ｂへ送信する処理を行う。そして、そのコンテンツの記録処理を固定型記録再生装置１２Ｂ側で実行させる際に、固定型記録再生装置１２Ｂの位置する場所が、配信サーバ１３から受信するコンテンツの視聴可能エリアか否かに応じて、そのコンテンツの再生可否を制御するフラグを設定し、そのフラグと配信サーバ１３から受信したコンテンツとを関連付けて記録を行うことで、固定型記録再生装置１２Ｂ側でのコンテンツの再生制御を行うというものである。このような方法とすることでも、実施例１で説明した効果を奏することができる。なお、実施例３の情報提供システムは、実施例１で示した情報提供システム１と構成は同一であるため、同一の機能については同一の符号を付して説明すると共に、図示および各機能の説明は省略する。
【００９７】
図１２は、本発明の実施例３に係る情報提供システムにおける記録処理を示すフローチャートである。なお、以下の処理は、可搬型記録再生装置１２Ａには、自装置の識別情報、固定型記録再生装置１２Ｂのインターネット接続情報Ｌｆ、放送局１１とその放送局１１に対応する配信サーバ１３のＵＲＬなどの接続情報は予め保持していることを前提として説明する。なお、ここでいうインターネット接続情報Ｌｆとは、たとえば、固定型記録再生装置１２Ｂに設定されているＩＰアドレスやＭＡＣアドレスである。
【００９８】
可搬型記録再生装置１２Ａは、操作部３３からのコンテンツ選択指示情報の入力に基づいてコンテンツを選択する（ステップＳ１１０）。可搬型記録再生装置１２Ａは、ステップＳ１１０で選択されたコンテンツの視聴可能エリアであるか否かを判定し（ステップＳ１１１）、視聴可能エリアである場合には（ステップＳ１１１でＹＥＳ）、インターネット１４を介して配信サーバ１３からコンテンツを受信して出力する。すなわち、ユーザにそのコンテンツを視聴させる（ステップＳ１１２）。
【００９９】
なお、ステップＳ１１１において、可搬型記録再生装置１２Ａが実行する、選択されたコンテンツの視聴可能エリア内であるか否かの判定方法としては、たとえば、選択されたコンテンツを配信する配信サーバ１３に対応する放送局１１を特定し、特定された放送局１１からの放送波の受信信号レベルをチューナー部２３により取得し、所定の受信信号レベル以上である場合には視聴可能エリア内であると判定し、所定の受信信号レベル未満である場合には視聴可能エリア内ではないと判定するようにする。または、放送局１１の位置する緯度経度情報と、その放送局１１の視聴可能エリアとされる緯度経度情報とが関連付けられているデータベースを可搬型記録再生装置１２Ａ内に保持させておき、位置情報検出部２９により検出された緯度経度情報と、特定された放送局１１の情報と、このデータベースの情報を参照することで、視聴可能エリア内であるか否かの判定を行うようにしてもよい。また、上記の説明では、ステップＳ１１０、１１１において、操作部３３からのコンテンツ選択指示情報の入力に基づいてコンテンツを選択し、選択されたコンテンツの視聴可能エリアであるか否かを判定したが、放送局選択指示情報や周波数選択指示情報に基づいて、放送局１１を選択し、選択された放送局１１の視聴可能エリアであるか否かを判定するようにしてもよい。すなわち、放送局選択指示情報や、周波数選択指示情報によってからもコンテンツを特定可能であり、コンテンツを特定する方法はこれらに限らない。
【０１００】
その後、可搬型記録再生装置１２Ａは、固定型記録再生装置１２Ｂでの記録指示情報について、操作部３３からの入力有無を判定し（ステップＳ１１３）、記録指示情報が操作部３３から入力された場合には固定型記録再生装置１２Ｂのインターネット接続情報Ｌｆに基づいて、固定型記録再生装置１２Ｂとのインターネット接続処理を実行する（ステップＳ１１４）。なお、可搬型記録再生装置１２Ａは、固定型記録再生装置１２Ｂでの記録指示情報の入力が操作部３３からない場合（ステップＳ１１３でＮＯ）には、ステップＳ１１３の判定処理を繰り返す。また、記録指示情報については、操作部３３からの入力有無を判定する以外にも、電池残量や、記憶容量が少なくなった場合に自動的に記録指示情報が入力されたと判断してもよい。
【０１０１】
そして、可搬型記録再生装置１２Ａは、コンテンツの記録を指示する記録指示情報、現在視聴しているコンテンツ情報、そのコンテンツの記録を許可する記録権限情報、ならびに自装置の識別情報を固定型記録再生装置１２Ｂへインターネット１４を介して送信する（ステップＳ１１５）。その後、可搬型記録再生装置１２Ａは、コンテンツの記録を許可する記録権限情報を固定型記録再生装置１２Ｂへ送信したため、現在視聴しているコンテンツの自装置での記録処理を禁止とする。
【０１０２】
ここで、自装置での記録処理を禁止する具体的な処理としては、たとえば、操作部３３から、コンテンツ記録指示情報が入力された場合に、そのコンテンツの記録権限情報の有無を判定し、無い場合には記録を許可しない制御をすることにより、結果的に可搬型記録再生装置１２Ａにおいてそのコンテンツの記録処理を禁止していることとなる。なお、コンテンツ毎の記録権限としてもよいが、放送局１１毎の記録権限、放送局１１に対応した周波数毎の記録権限として記録を許可しない制御をするようにしてもよい。また、可搬型記録再生装置１２Ａが固定型記録再生装置１２Ｂに対し送信する情報も、コンテンツ情報ではなく、放送局１１の情報でもよい。
【０１０３】
そして、可搬型記録再生装置１２Ａは、固定型記録再生装置１２Ｂでの記録中止指示情報について、操作部３３からの入力有無を判定し（ステップＳ１１７）、記録中止指示情報の入力が操作部３３からあった場合には（ステップＳ１１７でＹＥＳ）、固定型記録再生装置１２Ｂに対して記録中止指示情報を送信する（ステップＳ１１８）。そして、可搬型記録再生装置１２Ａは、現在視聴しているコンテンツの視聴終了指示情報について、操作部３３からの入力有無を判定し（ステップＳ１１９）、視聴終了指示情報の入力が操作部３３からあった場合には（ステップＳ１１９でＹＥＳ）、インターネット接続を止め（ステップＳ１２０）、処理を終了する（ＥＮＤ）。なお、可搬型記録再生装置１２Ａは、現在視聴しているコンテンツの視聴終了指示情報の入力が操作部３３から無い場合には（ステップＳ１１９でＮＯ）、視聴終了指示情報の入力があるまで、ステップＳ１１９の判定処理を繰り返す。
【０１０４】
一方、固定型記録再生装置１２Ｂは、ステップＳ１１５において可搬型記録再生装置１２Ａから送信されてきた、現在視聴しているコンテンツに関する記録指示情報、コンテンツ情報、記録権限情報と、可搬型記録再生装置１２Ａの識別情報を受信すると（ステップＳ１２１）、自装置が、可搬型記録再生装置１２Ａで視聴していたコンテンツの視聴可能エリア内であるか否かを判定する（ステップＳ１２２）。
【０１０５】
なお、ステップＳ１２２において、固定型記録再生装置１２Ｂが実行する、可搬型記録再生装置１２Ａで視聴していたコンテンツの視聴可能エリア内であるか否かの判定方法としては、たとえば、受信したコンテンツ情報からそのコンテンツを提供する配信サーバ１３に対応する放送局１１を特定し、特定された放送局１１からの放送波の受信信号レベルをチューナー部２３により取得し、所定の受信信号レベル以上である場合には視聴可能エリア内であると判定し、所定の受信信号レベル未満である場合には視聴可能エリア内ではないと判定するようにする。または、放送局１１の位置する緯度経度情報と、その放送局１１の視聴可能エリアとされる緯度経度情報とが関連付けられているデータベースを装置内に保持させておき、固定型記録再生装置１２Ｂの位置情報検出部２９により検出された緯度経度情報と、特定された放送局１１の情報と、このデータベースの情報を参照することで、視聴可能エリア内であるか否かの判定を行うようにしてもよい。
【０１０６】
固定型記録再生装置１２Ｂは、ステップＳ１２２において視聴可能エリアでないと判定した場合には（ステップＳ１２２でＮＯ）、コンテンツの再生を禁止するフラグ（以下、このフラグのことを「コンテンツ再生不可フラグ」といい、オンの場合にはコンテンツ再生を禁止し、オフの場合には、再生を許可するものとする）をオンにして、このフラグと可搬型記録再生装置１２Ａの識別情報と、配信サーバ１３から受信したコンテンツを全て関連付けて記憶部４３に記録する（ステップＳ１２３）。
【０１０７】
一方、固定型記録再生装置１２Ｂは、ステップＳ１２２において視聴可能エリアであると判定した場合には（ステップＳ１２２でＹＥＳ）、コンテンツ再生不可フラグをオフにして、このフラグと、配信サーバ１３から受信したコンテンツを関連付けて記憶部４３に記録する（ステップＳ１２４）。そして、固定型記録再生装置１２Ｂは、可搬型記録再生装置１２ＡがステップＳ１１８で送信した記録中止情報を受信すると（ステップＳ１２５）、受信しているコンテンツの記録処理を中止して処理を終了する（ステップＳ１２６）。
【０１０８】
なお、図１２に示すステップＳ１１７〜ステップＳ１２０までの処理において、記録中止指示情報と視聴終了指示情報について、操作部３３からの入力有無判定をそれぞれ別々にしたが、視聴終了指示情報の入力が操作部３３からあった場合には、記録中止指示情報の入力がない場合であっても、記録中止指示情報の入力があったものとして固定型記録再生装置１２Ｂへ記録中止指示情報を送信し、インターネット接続を止めてコンテンツの視聴を終了するようにしてもよい。
【０１０９】
図１３は、図１２の処理後に可搬型記録再生装置１２Ａと固定型記録再生装置１２Ｂとの間で実行される処理を示すフローチャートである。なお、図１３に示す処理は、図１に示す可搬型記録再生装置１２Ａと固定型記録再生装置１２Ｂとが直接接続されることにより処理が開始される。
【０１１０】
可搬型記録再生装置１２Ａは、固定型記録再生装置１２Ｂに対して自己の識別情報を送信し（ステップＳ１３１）、処理を終了する（ＥＮＤ）。
【０１１１】
一方、固定型記録再生装置１２Ｂは、ステップＳ１３１で可搬型記録再生装置１２Ａから送信されてきた識別情報を受信する（ステップＳ１３２）。そして、固定型記録再生装置１２Ｂは、ステップＳ１３２で受信した識別情報と同一の識別情報であって、この識別情報と関連付けられて記録されたコンテンツの有無を自装置の記憶部４３を検索することで判定し（ステップＳ１３３）、コンテンツがあると判定した場合には（ステップＳ１３３でＹＥＳ）、そのコンテンツのコンテンツ再生不可フラグをオフ（つまり、再生可能）に設定して（ステップＳ１３４）、処理を終了する（ＥＮＤ）。なお、固定型記録再生装置１２Ｂは、記録されたコンテンツがないと判定した場合には（ステップＳ１３３でＮＯ）、処理を終了する（ＥＮＤ）。
【０１１２】
図１３に示すように、可搬型記録再生装置１２Ａと固定型記録再生装置１２Ｂとが直接接続され、可搬型記録再生装置１２Ａの識別情報の一致することにより固定型記録再生装置１２Ｂ側での再生を許可することで視聴制限のあるコンテンツの権限関係を考慮したものとすることができる。
【０１１３】
なお、実施例３では、固定型記録再生装置１２ＢのステップＳ１２２でコンテンツの視聴可能エリアでない場合に、コンテンツ再生不可フラグをオンにしたが、例えば可搬型記録再生装置１２Ａの位置情報を取得し、固定型記録再生装置１２Ｂの位置情報と比較して、同じエリアにいる場合、または、距離が所定の閾値以上である場合に、コンテンツ再生不可フラグをオンにしてもよい。例えば、固定型記録再生装置１２Ｂと、可搬型記録再生装置１２Ａの同じエリアにいない場合や、距離が遠い場合には、可搬型記録再生装置１２Ａから指示されたコンテンツが固定型記録再生装置１２Ｂで視聴不可能な場合が多いからである。例えば日本の場合、エリアとしては、関東、関西などの地域や、県域を設定し、所定の閾値としては、関東、関西などの地域や県域を覆える程度の閾値を設定することができる。
【実施例４】
【０１１４】
本発明の実施例４について説明する。実施例４では、図４で示した相互の認証処理を行わずに、ユーザが記録を所望するコンテンツを配信サーバ１３から取得するために必要な接続情報を含むコンテンツ情報（たとえば、配信サーバ１３のＵＲＬなどの接続情報、コンテンツを一意に識別可能な情報など）と、そのコンテンツ毎に可搬型記録再生装置１２Ａが設定した公開鍵、秘密鍵を関連付けて記憶した上で、固定型記録再生装置１２Ｂへ、そのコンテンツ情報とコンテンツ固有の公開鍵を送信する処理を行う。そして、そのコンテンツの記録処理を固定型記録再生装置１２Ｂ側で実行させる際に、配信サーバ１３から受信するコンテンツの視聴可能エリアか否かに応じて、そのコンテンツに対して公開鍵で暗号化して記録を行うことで、固定型記録再生装置１２Ｂ側でのコンテンツの再生については、可搬型記録再生装置１２Ａが保持する秘密鍵がなければ再生できないようにするものである。このような方法とすることでも、実施例１で説明した効果を奏することができる。
【０１１５】
なお、実施例４の情報提供システムは、実施例１で示した情報提供システム１と構成は同一であるため、同一の機能については同一の符号を付して説明すると共に、図示および各機能の説明は省略する。
【０１１６】
図１４は、本発明の実施例４に係る情報提供システムにおける記録処理を示すフローチャートである。なお、図１４に示す処理のうち、図１２に示す処理と同一のステップ番号を付した処理（ステップＳ１１０〜ステップＳ１１３、ステップＳ１１４、ステップＳ１１６、ステップＳ１１７、ステップＳ１１８〜ステップＳ１２０、ステップＳ１２２、ステップＳ１２５，ステップＳ１２６）については、それぞれ同様であるため、説明を簡略化、または省略する。
【０１１７】
可搬型記録再生装置１２Ａは、ステップＳ１１０〜ステップＳ１１２の処理を実行後に、ステップＳ１１３の判定において、固定型記録再生装置１２Ｂでの記録指示情報の入力が操作部３３からあった場合に、そのコンテンツに固有の公開鍵と秘密鍵を生成し設定すると共に、そのコンテンツを配信サーバ１３から取得するために必要な接続情報とを対応付けて自装置のＲＡＭ４２に記憶する（ステップＳ１１３Ａ）。そして、ステップＳ１１４において固定型記録再生装置１２Ｂとのインターネット接続を確立すると、可搬型記録再生装置１２Ａは、コンテンツの記録を指示する記録指示情報、コンテンツ情報、そのコンテンツの記録を許可する記録権限情報、ならびにそのコンテンツに固有に設定した公開鍵を固定型記録再生装置１２Ｂへインターネット１４を介して送信する（ステップＳ１１５Ａ）。その後、可搬型記録再生装置１２Ａは、ステップＳ１１６〜ステップＳ１２０の処理を実行する。
【０１１８】
一方、固定型記録再生装置１２Ｂは、ステップＳ１１５Ａにおいて可搬型記録再生装置１２Ａから送信されてきた、コンテンツの記録を指示する記録指示情報、コンテンツ情報、そのコンテンツの記録を許可する記録権限情報、ならびにそのコンテンツに固有に設定した公開鍵を受信する（ステップＳ１２１Ａ）。その後、自装置が可搬型記録再生装置１２Ａで視聴していたコンテンツの視聴可能エリア内であるか否かを判定し（ステップＳ１２２）、視聴可能エリア内ではないと判定した場合には（ステップＳ１２２でＮＯ）、コンテンツ固有の公開鍵でコンテンツを暗号化して記憶部４３に記録する（ステップＳ１２３Ａ）。
【０１１９】
一方、固定型記録再生装置１２Ｂは、ステップＳ１２２において視聴可能エリア内であると判定した場合には（ステップＳ１２２でＹＥＳ）、通常通りにコンテンツをそのまま記憶部４３に記録する（ステップＳ１２４Ａ）。そして、固定型記録再生装置１２Ｂは、ステップＳ１２５〜ステップＳ１２６までの処理を実行して終了する（ＥＮＤ）。
【０１２０】
なお、図１４に示すステップＳ１１７〜ステップＳ１２０までの処理においても、図１２の処理と同様に、視聴終了指示情報の入力が操作部３３からあった場合には、記録中止指示情報の入力がない場合であっても、記録中止指示情報の入力があったものとして固定型記録再生装置１２Ｂへ記録中止指示情報を送信し、インターネット接続を止めてコンテンツの視聴を終了するようにしてもよい。
【０１２１】
図１５は、図１４の処理後に可搬型記録再生装置１２Ａと固定型記録再生装置１２Ｂとの間で実行される処理を示すフローチャートである。なお、図１５に示す処理は、図１に示す可搬型記録再生装置１２Ａと固定型記録再生装置１２Ｂとが所定の距離以内で直接接続されることにより処理が開始される。所定の距離としては、同一の建物内と判定できる、長くとも数十メートル程度の設定とすることが好ましい。なお、この処理は所定の距離以内の直接接続ではなく、可搬型記録再生装置１２Ａと固定型記録再生装置１２Ｂとの距離が所定の閾値以下になった場合に、開始してもよい。また、可搬型記録再生装置１２Ａと固定型記録再生装置１２Ｂとの距離が所定の閾値以下であるか否かは可搬型記録再生装置１２Ａの位置情報と固定型記録再生装置１２Ｂの位置情報とを用いてもよいし、ＢｌｕｅＴｏｏｔｈ（登録商標）、無線ＬＡＮ、赤外線通信等の近距離通信が接続可能であるか否かによって判断しても良い。所定の閾値としては、同一の建物内と判定できる、長くとも数十メートル程度の設定とすることが好ましい。また、可搬型記録再生装置１２Ａと固定型記録再生装置１２Ｂとの通信は、インターネット接続を用いてもよい。
【０１２２】
可搬型記録再生装置１２Ａは、固定型記録再生装置１２Ｂに対してＲＡＭ４２に記憶しているコンテンツ情報とこのコンテンツ固有に設定された秘密鍵を送信し（ステップＳ１４１）、処理を終了する（ＥＮＤ）。
【０１２３】
一方、固定型記録再生装置１２Ｂは、ステップＳ１４１で可搬型記録再生装置１２Ａから送信されてきたコンテンツ情報と秘密鍵を受信する（ステップＳ１４２）。そして、固定型記録再生装置１２Ｂは、ステップＳ１４２で受信したコンテンツ情報に対応するコンテンツの有無を自装置の記憶部４３を検索することで判定し（ステップＳ１４３）、コンテンツがあると判定した場合には（ステップＳ１４３でＹＥＳ）、公開鍵で暗号化されたコンテンツを秘密鍵で復号して（ステップＳ１４４）、処理を終了する（ＥＮＤ）。なお、固定型記録再生装置１２Ｂは、記録されたコンテンツがないと判定した場合には（ステップＳ１４３でＮＯ）、処理を終了する（ＥＮＤ）。
【０１２４】
図１５に示すように、可搬型記録再生装置１２Ａと固定型記録再生装置１２Ｂとが直接接続され、コンテンツ情報に対応するコンテンツの一致を判定し、一致した場合に暗号化して記録されたコンテンツを復号することにより、その後固定型記録再生装置１２Ｂ側でのコンテンツ再生が可能となるため、視聴制限のあるコンテンツの権限関係を考慮したものとすることができる。
【０１２５】
なお、図１５に示す処理は、可搬型記録再生装置１２Ａと固定型記録再生装置１２Ｂとが直接接続される場合を説明したが、インターネット１４を介して固定型記録再生装置１２Ｂ側に記録されたコンテンツを、可搬型記録再生装置１２Ａ側において再生するようにしてもよい。
【０１２６】
図１６は、本発明の実施例４に係る情報提供システムにおける再生処理の一例を示すフローチャートである。なお、図１６に示す処理は、可搬型記録再生装置１２Ａと固定型記録再生装置１２Ｂとはインターネット接続が確立された状態であると共に、図１４に示す処理により固定型記録再生装置１２Ｂ側に暗号化されたコンテンツが記録されていることを前提とする。
【０１２７】
可搬型記録再生装置１２Ａは、固定型記録再生装置１２Ｂへ記録依頼したコンテンツ情報から視聴したいコンテンツを選択する（ステップＳ１５１）。たとえば、可搬型記録再生装置１２Ａは、固定型記録再生装置１２Ｂの表示装置３５上に記録依頼したコンテンツの題名等のリストを表示させて、ユーザが操作部３３を操作することによりコンテンツの選択指示を入力させる。
【０１２８】
可搬型記録再生装置１２Ａは、固定型記録再生装置１２Ｂに対して、ステップＳ１５１で選択されたコンテンツに関連するコンテンツ情報（コンテンツを一意に識別する情報など）およびコンテンツ送信指示情報を送信する（ステップＳ１５２）。そして、可搬型記録再生装置１２Ａは、固定型記録再生装置１２Ｂからコンテンツを受信したか否かを判定し（ステップＳ１５３）、受信した場合には（ステップＳ１５３でＹＥＳ）、受信したコンテンツに対応する秘密鍵でコンテンツを復号して再生し、処理を終了する（ＥＮＤ）。なお、可搬型記録再生装置１２Ａは、所定時間（たとえば、３０秒）が経過するまでコンテンツを受信したか否かを判定し（ステップＳ１５５でＮＯ）、ステップＳ１５３でコンテンツを受信しない状態が所定時間経過した場合には（ステップＳ１５５でＹＥＳ）、表示装置３５にコンテンツが見つからなかった旨を表示して処理を終了する（ＥＮＤ）。
【０１２９】
一方、固定型記録再生装置１２Ｂは、可搬型記録再生装置１２ＡからステップＳ１５２の処理によって送信されてきたコンテンツ情報およびコンテンツ送信指示情報を受信すると（ステップＳ１５７）、自己の記憶部４３を参照してコンテンツ情報に対応するコンテンツの有無を判定する（ステップＳ１５８）。
【０１３０】
固定型記録再生装置１２Ｂは、自己の記憶部４３を参照してコンテンツ情報に対応するコンテンツがある場合には（ステップＳ１５８でＹＥＳ）、その対応するコンテンツを可搬型記録再生装置１２Ａに対して送信して（ステップＳ１５９）、処理を終了する。なお、固定型記録再生装置１２Ｂは、自己の記憶部４３を参照してコンテンツ情報に対応するコンテンツが無い場合には（ステップＳ１５８でＮＯ）、そのまま処理を終了する（ＥＮＤ）。なお、ステップＳ１５８の判定において自己の記憶部４３を参照してコンテンツ情報に対応するコンテンツが無い場合にはそのまま処理を終了したが、コンテンツが無い旨を可搬型記録再生装置１２Ａへ送信するようにしてもよい。
【０１３１】
図１６に示すように、固定型記録再生装置１２Ｂ側で暗号化したコンテンツを可搬型記録再生装置１２Ａ側で復号して再生することで、たとえば、ユーザが所有する可搬型記録再生装置１２Ａにおける記憶容量が配信サーバ１３から送信されたコンテンツを記録するために不足しているような状況であっても、そのコンテンツについては自宅にある固定型記録再生装置１２Ｂで記録しておき、その後に可搬型記録再生装置１２Ａ側で再生するということが可能となる。これは、たとえインターネット１４経由であっても、暗号化するので視聴制限のあるコンテンツの権限関係を適切に考慮すると共に、そのコンテンツがインターネット１４上で仮に盗聴されても復号できない（視聴できない）仕組みを実現している。なお、上記実施例４の説明では、暗号化と復号に際して、公開鍵と秘密鍵を用いた公開鍵暗号方式で暗号化を行ったが、要求される安全性に応じて、共通鍵暗号方式を用いてもよい。
【０１３２】
以上、本発明に係る実施例１〜４およびそれらの変形例に基づいて具体的に説明したが、本発明はこれらの実施例およびその変形例に限定されるものではなく、発明の要旨を逸脱しない範囲において種々の変形や変更が更に可能である。たとえば、可搬型記録再生装置１２Ａと固定型記録再生装置１２Ｂとの関係として、可搬型記録再生装置１２Ａの存在する地域と、固定型記録再生装置１２Ｂが設置されている地域とが異なる状況において説明したが、両方とも同じ放送局１１の視聴可能地域内にいる場合であってもよい。なお、両方とも同じ放送局１１の視聴可能地域内にいる場合には、上述した仕組みによりコンテンツの再生処理および記録処理について制限することなく、通常の再生処理および記録処理を行えばよい。
【０１３３】
また、本発明に係る実施例実施例１〜４およびそれらの変形例において、可搬型記録再生装置１２Ａと固定型記録再生装置１２Ｂとの関係を前提に説明したが、それ以外にも、異なる地域に位置する可搬型記録再生装置１２Ａ同士で上述した処理を実行するようにしてもよい。
【０１３４】
また、本発明に係る実施例１〜４およびそれらの変形例において、視聴に地域制限があるコンテンツとしてＩＰ放送のコンテンツ（映像、音声、静止画像のいずれかまたは複数により構成される番組等）を前提に説明したが、それ以外にも視聴に地域制限があるコンテンツであれば音楽配信やゲーム、ニュースなどＩＰ放送に限らない。
【０１３５】
また、本発明に係る実施例１〜４およびそれらの変形例において、配信サーバ１３から配信されるＩＰ放送は、可搬型記録再生装置１２Ａと固定型記録再生装置１２Ｂにおける放送局１１の放送波の信号レベルの判定に基づいて出力可否を判定するものを前提として説明したが、それ以外にも配信サーバ１３は、可搬型記録再生装置１２Ａ、または固定型記録再生装置１２Ｂから、これらの装置における放送局１１の放送波の信号レベルを送信してもらい、配信サーバ１３側でＩＰ放送の配信可否自体を判定するものとしてもよい。その場合には、可搬型記録再生装置１２Ａ側から配信サーバ１３に対して、固定型記録再生装置１２Ｂにコンテンツの配信が可能となるように、権限委譲モードで制御したような制御情報を配信サーバ１３へ送信し、配信サーバ１３が固定型記録再生装置１２ＢにＩＰ放送を配信する際に、制御情報も付加して固定型記録再生装置１２Ｂへ送信し、この制御情報に基づいて固定型記録再生装置１２Ｂ内での記録処理、デコード処理等がなされるようにしてもよい。このような方法は、ユニキャスト方式であるためインターネット１４上のトラフィックを低減させることは困難となるが、権限関係を考慮したものとすることができる。
【０１３６】
また、配信サーバ１３が、可搬型記録再生装置１２Ａ、または固定型記録再生装置１２Ｂの装置における放送局１１の放送波の信号レベルを送信してもらい、配信サーバ１３側でＩＰ放送の配信可否自体を判定するものであるとした場合には、固定型記録再生装置１２Ｂ側に自己の位置に基づく視聴制限機能がなくてもよく、可搬型記録再生装置１２Ａの放送局１１の放送波の信号レベル情報、または自己の位置情報（たとえば、ＩＰアドレスまたは郵便番号など）を固定型記録再生装置１２Ｂへ送信し、固定型記録再生装置１２Ｂは、可搬型記録再生装置１２Ａの放送局１１の放送波の信号レベル情報、または固定型記録再生装置１２Ｂの位置情報に基づいて、配信サーバ１３へＩＰ放送の送信要求を送って、コンテンツを記録するようにしてもよい。このように、少なくとも一方の機器に自己の位置での放送局１１の放送波の信号レベルの測定機能、または自己の位置情報があり、その機器においてＩＰ放送が受信可能である場合でも、本発明の各実施例と同様の効果を奏することが可能である。
【０１３７】
また、本発明に係る実施例１、２のペアリング処理およびその変形例については、１つの可搬型記録再生装置１２Ａと、１つの固定型記録再生装置１２Ｂで説明したが（１対１対応）、可搬型記録再生装置１２Ａに受信能力と記録能力が豊富に有れば、１つの可搬型記録再生装置１２Ａに対して複数の固定型記録再生装置１２Ｂをペアリングさせること（１対多対応）も可能である。また、複数の可搬型記録再生装置１２Ａに対して１つの固定型記録再生装置１２Ｂをペアリングさせることも可能である。複数の可搬型記録再生装置１２Ａに対して１つの固定型記録再生装置１２Ｂをペアリングさせる場合にも、可搬型記録再生装置１２Ａは自機の公開鍵Ｋｍで暗号化されたものしかデコードすることができないので、権限関係を考慮したものとすることができる。
【０１３８】
また、本発明に係る実施例１〜４およびそれらの変形例で説明した情報提供システム１では、可搬型記録再生装置１２Ａを請求項の第１の情報処理装置とし、固定型記録再生装置１２Ｂを第２の情報処理装置として説明したが、その他にも第１の情報処理装置および第２の情報処理装置共に、可搬型記録再生装置１２Ａである場合、または固定型記録再生装置１２Ｂである場合、固定型記録再生装置１２Ｂを第１の情報処理装置とし、可搬型記録再生装置１２Ａが第２の情報処理装置とする場合を除外するものではない。
【０１３９】
また、本発明に係る実施例１〜４およびそれらの変形例で説明した情報提供システム１の可搬型記録再生装置１２Ａ、または固定型記録再生装置１２Ｂが実行する処理のすべてまたは一部をプログラムによって構成し、このプログラムを情報処理装置（コンピュータ）にインストールすることで各手段として機能させるようにしてもよい。なお、これらのプログラムを実行可能な状態で記録した媒体からコンピュータに直接インストールすることも可能であるが、ネットワーク経由で遠隔にあるコンピュータにインストールしてもよい。
【符号の説明】
【０１４０】
１・・・情報提供システム、１１・・・放送局、１２・・・放送受信機（可搬型記録再生装置および固定型記録再生装置の総称）、１２Ａ・・・可搬型記録再生装置（請求項の第１の情報処理装置の一例）、１２Ｂ・・・固定型記録再生装置（請求項の第２の情報処理装置の一例）、１３…配信サーバ（請求項のサーバの一例）、１４・・・インターネット、１９・・・アンテナ、２３・・・チューナー部、２４・・・主制御部（請求項の制御部、第１の制御部、第２の制御部、制御情報生成部、判定部の一例）、２５・・・復調部、２７・・・通信部（請求項の第１の送信部、第２の送信部、受信部、第１の受信部、第２の受信部の一例）、２８・・・無線アンテナ、２９・・・現在位置検出部、３３・・・操作部（請求項の選択部の一例）、３４・・・表示制御部、３５・・・表示装置、３６・・・音声制御部、３７・・・スピーカ、４０・・・ＲＯＭ、４１・・・ＲＡＭ、４３・・・記憶部（請求項の第１の記憶部、第２の記憶部の一例）、４４・・・認証暗号部（請求項の認証部の一例）
【図１】
2012034021.tif 000003
【図２】
2012034021.tif 000004
【図３】
2012034021.tif 000005
【図４】
2012034021.tif 000006
【図５】
2012034021.tif 000007
【図６】
2012034021.tif 000008
【図７】
2012034021.tif 000009
【図８】
2012034021.tif 000010
【図９】
2012034021.tif 000011
【図１０】
2012034021.tif 000012
【図１１】
2012034021.tif 000013
【図１２】
2012034021.tif 000014
【図１３】
2012034021.tif 000015
【図１４】
2012034021.tif 000016
【図１５】
2012034021.tif 000017
【図１６】
2012034021.tif 000018